(57)【要約】【課題】  操作摘みの高さ寸法を小さく形成することができると共、操作摘みの径を大きく形成することが可能になって回動操作が容易になる側柵の取付構造を提供する。【解決手段】  差込脚１に軸孔２を設けると共に差込脚１の下端面を傾斜面３に形成する。上端部に操作摘み４を設けた操作軸５を差込脚１の軸孔２に挿通する。上面を傾斜面６に形成した圧接子７に雌ネジ孔８を設け、差込脚１の軸孔２から下方へ突出する操作軸５の雄ネジ部９に雌ネジ孔８を螺合して操作軸５に圧接子７を取り付ける。ベッドＡのサイド部材１０に設けた受け穴１１に差込脚１を差し込む。操作摘み４の操作で操作軸５を水平回動させて雌ネジ孔８に雄ネジ部９をネジ込ませることによって圧接子７を引き上げ、傾斜面３，６の傾斜方向に圧接子７をスライドさせると共に受け穴１１の内周に圧接子７の一方側の側面と差込脚１の他方側の側面をそれぞれ圧接させる。【選択図】  図１
2006055529.tif 000002
【特許請求の範囲】
【請求項１】
側柵の下部に取着される差込脚に上下に貫通して開口する軸孔を設けると共に差込脚の下端面を傾斜面に形成し、上端部に操作摘みを設けた操作軸を差込脚の軸孔に挿通すると共に差込脚の上端に操作摘みの下側を係止させ、上面を傾斜面に形成した圧接子に上下方向の雌ネジ孔を設け、差込脚の軸孔から下方へ突出する操作軸の下端部の外周に設けた雄ネジ部に雌ネジ孔を螺合して操作軸に圧接子を取り付けると共に差込脚の傾斜面に圧接子の傾斜面を対向させ、ベッドの側部のサイド部材に上方に開口する受け穴を設け、操作軸及び圧接子を装着した上記の差込脚をこの受け穴に差し込み、操作摘みの操作で操作軸を水平回動させて雌ネジ孔に雄ネジ部をネジ込ませることによって圧接子を引き上げ、差込脚の傾斜面に圧接子の傾斜面を圧接させて傾斜面の傾斜方向に圧接子をスライドさせると共に受け穴の内周に圧接子の一方側の側面と差込脚の他方側の側面をそれぞれ圧接させることによって、サイド部材の受け穴に側柵の差込脚を固定することを特徴とする側柵の取付構造。
【請求項２】
サイド部材に側柵が取り付けられたベッドであって、請求項１に記載の取付構造でサイド部材に側柵が取り付けられていることを特徴とするベッド。
【発明の詳細な説明】
【技術分野】
【０００１】
本発明は、ベッドの側部に側柵を取り付けるための構造、及び側部に側柵が取り付けられたベッドに関するものである。
【背景技術】
【０００２】
病院や家庭において介護用などに使用されるベッドＡは、布団などの脱落防止や、患者の落下を防止するために、図７のように側柵Ｂを取り付けることができるようになっている。この側柵Ｂは固定柵１６と回動柵１７とから形成されており、回動柵１７は患者がベッドＡに昇り降りする際の邪魔にならないように、またベッドＡの昇り降りの際に掴まる手摺りとして利用できるように、図７（ａ）から図７（ｂ）へと水平回動できるようになっている。そして固定柵１６の下端に設けたベース部材１８に差込脚１を設け、ベッドＡのマットレス１９等の寝具が敷かれる本体部２０の側部に設けられたサイドフレームなどのサイド部材１０に差込脚１を挿着固定することによって、サイド部材１０で支持して側柵ＢをベッドＡの側部に沿って取り付けるようにしてある。
【０００３】
ここで側柵Ｂは、ベッドＡから取り外したり、あるいはベッドＡの右側あるいは左側に取り付け位置を変えたりする必要があるために、簡単な操作で脱着することができるようにしてある。
【０００４】
図８はその一例を示すものであり、側柵Ｂのベース部材１８に下方へ突出させて取り付けられる差込脚１を上下に開口する筒状に形成すると共に差込脚１の下端面を傾斜面３に形成してある。この差込脚１には下端に圧接子７を設けた操作軸５が下側から挿通してあり、圧接子７の上面は差込脚１の傾斜面３と平行な傾斜面６として形成してあって、傾斜面３，６を対向させてある。操作軸５の上端部の外周には雄ネジ部９が形成してある。また操作摘み４に下面で開口する雌ネジ孔８が凹設してあり、操作軸５の雄ネジ部９に雌ネジ孔８を螺合させた状態で、操作摘み４を差込脚１の上端部に配置してある。一方、サイド部材１０には受け筒２２を取り付けて上方へ開口する受け穴１１が形成してある。
【０００５】
そして受け穴１１に差込脚１を図８のように差し込み、この状態で操作摘み４を回すと、雄ネジ部９に対する雌ネジ孔８の螺進によって、操作軸５は上方へ引き上げられる。操作軸５がこのように引き上げられて圧接子７が上動すると、差込脚１の傾斜面３に対して圧接子７の傾斜面６が圧接してスライドし、傾斜方向に沿って圧接子７は差込脚１の一方の側方へ移動する。このように圧接子７が側方へ移動することによって、この圧接子７の一方の側面と差込脚１の他方の側面がそれぞれ受け孔１１の内周に圧接し、受け孔１１内に差込脚１を固定することができるものであり、側柵ＢをベッドＡのサイド部材１０に取り付けた状態に固定することができるものである。またこの固定した状態で操作摘み４を反対方向に回すことによって、雄ネジ部９に対して雌ネジ孔８を螺退させると共に、操作軸５を押し下げて圧接子７を下動させ、受け孔１１の内周に対する圧接子７及び差込脚１の圧接を解除し、側柵ＢをベッドＡのサイド部材１０から取り外し可能な状態にすることができるものである（特許文献１参照）。
【特許文献１】特開２００３−５２７６３号公報
【発明の開示】
【発明が解決しようとする課題】
【０００６】
上記のように操作摘み４を回動させる操作で、側柵Ｂの取付状態を固定したり固定を解除したりすることができるものである。そして上記の図８のものにあって、操作摘み４の下面に雌ネジ孔８を凹設し、操作軸５の上端部の雄ネジ部９を雌ネジ孔８内に螺合させるようにしてあり、操作摘み４を回して雌ネジ孔８に対する雄ネジ部９の螺合深さを深くしたり浅くしたりすることによって、操作軸５を引き上げたり押し下げたりして、操作軸５の下端の圧接子７を上動あるいは下動させ、もって上記のように受け穴１１内に差込脚１を固定したり固定を解除したりするようにしてある。
【０００７】
従って上記のものにおいて、操作摘み４の雌ネジ孔８は雄ネジ部９が深く螺合して操作軸５が上下するストロークを確保する必要があり、雌ネジ孔８の縦の長さ（深さ）大きく形成しなければならず、この結果、操作摘み４は高さ寸法が大きくなる。しかし、この操作摘み４は図７にみられるようにベッド本体部２０に敷いたマットレス１９の端部の下側に位置することが多く、操作摘み４の高さ寸法が大きくなると、操作摘み４にマットレス１９が干渉して操作がし難くなるという問題があった。特に、操作摘み４を回す際の回転トルクを大きくするために操作摘み４は径を大きくすることが望ましいが、このように操作摘み４の高さ寸法が大きい場合、操作摘み４の径を大きくするとマットレス１９に接触する可能性が高くなるために、操作摘み４は径を小さく形成せざるを得ず、強い力で操作摘み４を操作しなければならなくなって、高齢者や身体障害者等の弱者の操作に支障を来すものであった。
【０００８】
本発明は上記の点に鑑みてなされたものであり、操作摘みの高さ寸法を小さく形成することができると共に、操作摘みの径を大きく形成することが可能になって操作が容易になる側柵の取付構造及びベッドを提供することを目的とするものである。
【課題を解決するための手段】
【０００９】
本発明の請求項１に係る側柵の取付構造は、側柵Ｂの下部に取着される差込脚１に上下に貫通して開口する軸孔２を設けると共に差込脚１の下端面を傾斜面３に形成し、上端部に操作摘み４を設けた操作軸５を差込脚１の軸孔２に挿通すると共に差込脚１の上端に操作摘み４の下側を係止させ、上面を傾斜面６に形成した圧接子７に上下方向の雌ネジ孔８を設け、差込脚１の軸孔２から下方へ突出する操作軸５の下端部の外周に設けた雄ネジ部９に雌ネジ孔８を螺合して操作軸５に圧接子７を取り付けると共に差込脚１の傾斜面３に圧接子７の傾斜面６を対向させ、ベッドＡのサイド部材１０に上方に開口する受け穴１１を設け、操作軸５及び圧接子７を装着した上記の差込脚１をこの受け穴１１に差し込み、操作摘み４の操作で操作軸５を水平回動させて雌ネジ孔８に雄ネジ部９をネジ込ませることによって圧接子７を引き上げ、差込脚１の傾斜面３に圧接子７の傾斜面６を圧接させて傾斜面３，６の傾斜方向に圧接子７をスライドさせると共に受け穴１１の内周に圧接子７の一方側の側面と差込脚１の他方側の側面をそれぞれ圧接させることによって、サイド部材１０の受け穴１１に側柵Ｂの差込脚１を固定することを特徴とするものである。
【００１０】
また本発明の請求項２に係るベッドは、サイド部材１０に側柵Ｂが取り付けられたベッドであって、請求項１に記載の取付構造でサイド部材１０に側柵Ｂが取り付けられていることを特徴とするものである。
【発明の効果】
【００１１】
本発明によれば、圧接子７に雌ネジ孔８が設けてあって、操作軸５の下端部の雄ネジ部９に雌ネジ孔８を螺合して圧接子７を操作軸５に取り付けてあり、操作摘み４を操作して操作軸５を回すことによって圧接子７を上動あるいは下動させることができる。従って、操作軸５の上端部の操作摘み４は操作軸５を回すための機能さえあればよく、高さを低く形成して薄い厚みに形成することができるものであり、また操作摘み４の径を大きく形成することが可能になって、回動の操作が容易になるものである。
【発明を実施するための最良の形態】
【００１２】
以下、本発明を実施するための最良の形態を説明する。
【００１３】
図６は固定柵１６と、固定柵１６の一側端に水平回動自在に取り付けられた回動柵１７とからなる側柵Ｂを示すものであり、固定柵１６の下端には支柱２４を介して水平配置のベース部材１８が設けてある。このベース部材１８の両端部にそれぞれ差込脚１が取り付けてある。
【００１４】
差込脚１は図３に示すように上下に貫通する縦の軸孔２を設けて筒状に形成してあり、やや上部の外周に太径部２６が形成してある。この差込脚１の下端面は、軸孔２の軸線を６０°程度の角度で斜めに横切る傾斜面３として形成してある。そして上端面がベース部材１８の上面に露出すると共に下部がベース部材１８の下方に突出するように、太径部２６より上の部分をベース部材１８に挿通して固定してある。
【００１５】
操作軸５は差込脚１の軸孔２の内径よりも外形が小さい円柱状に形成されるものであり、図４に示すようにその上端に操作摘み４が一体的に設けて固設してある。操作摘み４は厚みの薄い円板状に形成してあり、操作軸５の直径の数倍程度に大きな直径に形成してある。操作摘み４の下面の中央部には軸孔２の径よりも大きな径で係止凸段部２７が設けてある。また操作軸５の外周には、少なくとも下部から下端に至る範囲で雄ネジを切って雄ネジ部９が形成してある。
【００１６】
圧接子７は図５に示すように、中央部に上下に貫通する雌ネジ孔８を設けて円筒状に形成されるものであり、雌ネジ孔８の内周には上記雄ネジと螺合する雌ネジが切ってある。この圧接子７の外径は操作軸５の外径と等しい寸法に形成してあり、その上面は差込脚１の傾斜面３と同じ傾斜角度で傾斜する傾斜面６として形成してある。
【００１７】
上記の操作軸５は差込脚１の軸孔２に上から差し込んで挿通するようにしてあり、係止凸段部２７の下面が差込脚１の上面に係止された状態で、操作軸５の下端部は軸孔２の下端部から下方へ突出するようにしてある。圧接子７はこの軸孔２から下方へ突出する操作軸５の下端部の雄ネジ部９に雌ネジ孔８を螺合させることによって、差込脚１の下側において操作軸５の下端部に取り付けてあり、差込脚１の傾斜面３に圧接子７の傾斜面３を平行に近接乃至当接させるようにしてある。
【００１８】
一方、ベッドＡのフレームの両側部にはサイドフレームなどとしてサイド部材１０が設けてあり、このサイド部材１０には、側柵Ｂのベース部材１８に設けた差込脚１と対応する位置において、上面が開口する受け筒２２が取り付けてあり、この受け筒２２によって上方へ開口する受け穴１１をサイド部材１０に形成するようにしてある。受け穴１１の内径は差込脚１及び圧接子７の外径よりもわずかに大きめに形成されるものである。
【００１９】
そしてベッドＡの側部に側柵Ｂを取り付けるにあたっては、まず側柵Ｂのベース部材１８に設けた差込脚１を図１（ａ）のようにサイド部材１０の受け穴１１に上から差し込む。このとき、図２（ａ）に示すように、差込脚１と圧接子７は上下にほぼ一直線上に揃っており、差込脚１と圧接子７の外周面は連続した状態になっているので、差込脚１は受け穴１１内にスムーズに差し込まれる。また差込脚１の太径部２６が受け穴１１の上端開口縁に係止されるために、受け穴１１への差込脚１の差し込み深さは一定になるようにしてある。
【００２０】
次に、操作摘み４を握って操作軸５を所定の向きに水平回動させるように回すと、圧接子７はその傾斜面６が差込脚１の傾斜面３に当接して回らないので、圧接子７の雌ネジ孔８が操作軸５の雄ネジ部９に沿って上方に螺進し、圧接子７が上方へ引き上げられる。ここで、圧接子７はその傾斜面６が差込脚１の傾斜面３に当接して、真上には上動できないので、圧接子７の傾斜面６が差込脚１の傾斜面３に傾斜方向に沿ってスライドし、図１（ｂ）のように、差込脚１の軸孔２内を操作軸５が径方向に移動できる範囲で、圧接子７はその径方向に位置ずれし、圧接子７は差込脚１の一方の側方へ移動する。このように圧接子７が側方へ移動することによって、図２（ｂ）に示すように、この圧接子７の一方の側面と差込脚１の他方の側面がそれぞれ受け孔１１の内周に圧接し、受け孔１１内に差込脚１を固定することができるものである。
【００２１】
このようにサイド部材１０の受け穴１１に側柵Ｂの差込脚１を固定することによって、側柵ＢをベッドＡの側部に取り付けた状態に固定することができるものである。ここで、、受け筒２２の底部の深さは、受け穴１１に差込脚１を差し込んで固定した際に、操作軸５の下端の先端が当接しないように形成してある。またこのように固定した状態で、操作摘み４を操作して上記と反対方向に操作軸５を回すことによって、圧接子７を下方へ押し下げることができ、受け孔１１の内周に対する圧接子７及び差込脚１の圧接を解除して、側柵ＢをベッドＡのサイド部材１０から取り外し可能な状態にすることができるものである。
【００２２】
ここで、本発明では、圧接子７に雌ネジ孔８が設けてあると共に、操作軸５の下端部の雄ネジ部９に雌ネジ孔８を螺合して圧接子７を操作軸５に取り付けてあり、操作摘み４を操作して操作軸５を回すことによって圧接子７を上動あるいは下動させ、固定状態にしたり固定状態を解除したりすることができるものである。従って、操作軸５の上端部に設けた操作摘み４は操作軸５を回すための機能さえあればよく、高さを低く形成して薄い厚みに形成することできるものであり、操作摘み４の高さ寸法が大きくなる場合のような、操作摘み４にマットレス１９が干渉して操作がし難くなるという問題を解消することができるものである。またこのように操作摘み４の高さを低くできるために、操作摘み４の径を大きくしてもマットレス１９に接触するようなことがなくなるものであり、操作摘み４の径を大きく形成して回転トルクを大きくすることができ、高齢者や身体障害者等の弱者でも操作が容易になるようにすることができるものである。
【図面の簡単な説明】
【００２３】
【図１】本発明の実施の形態の一例を示すものであり、（ａ），（ｂ）はそれぞれ一部の断面図である。
【図２】（ａ）は図１（ａ）の一部の拡大図、（ｂ）は図１（ｂ）の一部の拡大図である。
【図３】同上の実施の形態の差込脚を示すものであり、（ａ）は正面図、（ｂ）は側面図である。
【図４】同上の実施の形態の操作軸を示すものであり、（ａ）は正面図、（ｂ）は平面図である。
【図５】同上の実施の形態の圧接子を示すものであり、（ａ）は斜視図、（ｂ）は正面図、（ｃ）は側面図である。
【図６】ベッドの側柵を示す正面図である。
【図７】側柵を取り付けたベッドを示すものであり、（ａ），（ｂ）はそれぞれ斜視図である。
【図８】従来例を示す断面図である。
【符号の説明】
【００２４】
１  差込脚
２  軸孔
３  傾斜面
４  操作摘み
５  操作軸
６  傾斜面
７  圧接子
８  雌ネジ孔
９  雄ネジ部
１０  サイド部材
１１  受け穴
Ｂ  側柵
Ａ  ベッド
【図１】
2006055529.tif 000003
【図２】
2006055529.tif 000004
【図３】
2006055529.tif 000005
【図４】
2006055529.tif 000006
【図５】
2006055529.tif 000007
【図６】
2006055529.tif 000008
【図７】
2006055529.tif 000009
【図８】
2006055529.tif 000010